(57)【特許請求の範囲】
【請求項１】
現在の時刻を計時する計時手段と、該計時手段により計時された現在の時刻を表示する時刻表示手段とを備え、着脱自在に設けたバッテリを電源とする通信端末において、
前記電源をオフする旨の指示が入力される、又は前記バッテリが消耗することにより、該電源がオフとなってサスペンド状態に移行すると、前記時刻表示制御手段は、スリープ状態となり、前記計時手段により計時される現在時刻が更新された旨の通知を該計時手段から受信すると、スリープ状態から省エネルギーモードで起動して当該更新された現在時刻を前記時刻表示手段に表示した後スリープ状態となることを特徴とする通信端末。
【請求項２】
前記時刻表示手段により表示された現在時刻の表示部を照明する照明手段と、
前記照明手段による照明のオン指示を入力するオン指示入力手段と、
前記サスペンド状態の際に、前記オン指示入力手段により入力された前記照明手段による照明のオン指示を受信すると、前記時刻表示手段により表示された現在時刻の表示部を照明するように前記照明手段を制御する照明制御手段と、
を更に備えたことを特徴とする請求項１に記載の通信端末。
【請求項３】
前記照明制御手段は、
前記サスペンド状態の際に、前記オン指示入力手段により入力された前記照明手段による照明のオン指示を受信すると、前記省エネルギーモードで起動して前記時刻表示手段により表示された現在時刻の表示部を照明するよう前記照明手段を制御することを特徴とする請求項２記載の通信端末。
【請求項４】
折り畳み式の筐体を有し、
前記時刻表示手段を、前記筐体表面のうち該筐体が折り畳まれた際に外部に露出する所定個所に設けたことを特徴とする請求項１乃至３の何れかに記載の通信端末。
【請求項５】
前記オン指示入力手段を、前記筐体表面のうち該筐体が折り畳まれた際に外部に露出する所定個所に設けたことを特徴とする請求項４記載の通信端末。
【請求項６】
アラームを行う時刻を設定するアラーム時刻設定手段と、
前記サスペンド状態の際に、前記計時手段により計時された現在時刻に基づいて、前記アラーム時刻設定手段により設定されたアラーム時刻に至ったか否かを監視するアラーム時刻監視手段と、
前記サスペンド状態の際に、前記アラーム時刻設定手段により設定されたアラーム時刻に至った旨を前記アラーム時刻監視手段から受信すると、アラームを行うアラーム手段を備えたことを特徴とする請求項１乃至５の何れかに記載の通信端末。
【請求項７】
前記アラーム手段は、
前記サスペンド状態の際に、前記アラーム時刻設定手段により設定されたアラーム時刻に至った旨を前記アラーム時刻監視手段から受信すると、前記省エネルギーモードで起動してアラームを行うことを特徴とする請求項６記載の通信端末。
【発明の詳細な説明】
【０００１】
【発明の属する技術分野】
本発明は、現在時刻を表示可能な通信端末に関する。
【０００２】
【従来の技術】
近時、携帯電話等の携帯端末は、ＲＴＣ（Real Time Clock）が内蔵され、現在時刻の表示のみならず、アラーム、着信時刻表示、通話時間表示等の機能を有する。この為、このような携帯端末を腕時計の替わりに利用するユーザも多い。
【０００３】
携帯端末には、携帯端末本体を起動するためのメインバッテリに加え、ＲＴＣ専用の電池を備えるので、携帯電話の電源をオフにした場合においても、ＲＴＣは計時機能を維持できる。また、最近の折り畳み式携帯電話の中には、メインＬＣＤの他に、筐体表面にサブＬＣＤが設けられ、折り畳まれた状態でも、現在時刻、受信強度（アンテナ表示）、圏外情報、着信通知（相手電話番号を含む）等の情報がサブＬＣＤに表示可能となっている。
【０００４】
しかし、上記従来の携帯端末においては、以下に示す問題点がある。
従来の携帯端末は、電源オフ時やバッテリ切れになると、ＲＴＣ以外の機能が停止する為に、せっかくＲＴＣで現在時刻を計時しても、その計時結果をメイン及びサブＬＣＤに表示できない。例えば、映画館や電車の中等、携帯端末の電源をオフしなければならない場合、又は、バッテリが消耗して電源がオフになった場合に、ＲＴＣによる計時結果をメイン及びサブＬＣＤに表示できない。
また、電源がオフとなっている場合、現在時刻を確認するには、その都度、電源をオンして携帯端末を起動しなければならず、不便であった。
また、バッテリ切れでなく且つ電源がオンの状態であっても、暗い場所で現在時刻を確認したい場合、メイン及びサブＬＣＤの表示が読み取り可能な明るい場所を探して移動したり、入力キーのキー操作によりバックライトを点灯させる等しなければ、現在時刻の確認がしづらかった。特に、入力キーに対してキーロックが作動している場合には、キー操作でバックライトを点灯させるには、その都度、キーロックを解除しなければならず、煩わしかった。
【０００５】
【発明が解決しようとする課題】
本発明の課題は、現在時刻を表示可能な通信端末において、電源オフの際やバッテリ切れの際にも現在時刻を容易に確認可能な通信端末を提供することである。
【０００６】
【課題を解決するための手段】
上記課題を解決するため、本発明は、
現在の時刻を計時する計時手段と、該計時手段により計時された現在の時刻を表示する時刻表示手段とを備え、着脱自在に設けたバッテリを電源とする通信端末において、
前記電源をオフする旨の指示が入力される、又は前記バッテリが消耗することにより、該電源がオフとなってサスペンド状態に移行すると、前記時刻表示制御手段は、スリープ状態となり、前記計時手段により計時される現在時刻が更新された旨の通知を該計時手段から受信すると、スリープ状態から省エネルギーモードで起動して当該更新された現在時刻を前記時刻表示手段に表示した後スリープ状態となることを特徴とする。
更に、本発明は、
折り畳み式の筐体を有し、
前記時刻表示手段を、前記筐体表面のうち該筐体が折り畳まれた際に外部に露出する所定個所に設けるのが好ましい。
従って、サスペンド状態の際にも、バッテリ電源をオンして携帯端末を起動することなく現在時刻を時刻表示手段に継続して表示可能となるので、ユーザは、キー操作等の操作を特に行うことなく、容易に現在時刻を確認可能となり、利便性の向上が図られる。またこの場合、バッテリ切れの際には、サスペンド状態に移行するので、現在時刻の表示が継続して行え、更に利便性の向上が図られる。
【０００７】
更に、本発明は、前記照明制御手段は、前記サスペンド状態の際に、前記オン指示入力手段により入力された前記照明手段による照明のオン指示を受信すると、前記省エネルギーモードで起動して前記時刻表示手段により表示された現在時刻の表示部を照明するよう前記照明手段を制御するのが好ましい。
更に、本発明は、前記アラーム手段は、前記サスペンド状態の際に、前記アラーム時刻設定手段により設定されたアラーム時刻に至った旨を前記アラーム時刻監視手段から受信すると、前記省エネルギーモードで起動してアラームを行うのが好ましい。
従って、サスペンド状態でも、時刻表示手段に現在時刻を表示する際、照明手段によって時刻表示手段の現在時刻の表示部を照明する際、及び、アラーム時刻に至ってアラームする際には、省エネルギーモードで動作するので、消費電力の低減化が図られる。
【０００８】
また、本発明は、
前記時刻表示手段により表示された現在時刻の表示部を照明する照明手段と、
前記照明手段による照明のオン指示を入力するオン指示入力手段と、
前記サスペンド状態の際に、前記オン指示入力手段により入力された前記照明手段による照明のオン指示を受信すると、前記時刻表示手段により表示された現在時刻の表示部を照明するように前記照明手段を制御する照明制御手段と、
を更に備えるのが好ましい。
従って、サスペンド状態でも、バッテリ電源をオンして起動することなく、オン指示入力手段を操作するだけで時刻表示手段の現在時刻表示部を照明できるので、ユーザは、オン指示入力手段を操作すること以外に特に操作することなく、容易に上記現在時刻表示部を照明することができ、更に利便性の向上が図られる。
【０００９】
更に、本発明は、
前記オン指示入力手段を、前記筐体表面のうち該筐体が折り畳まれた際に外部に露出する所定個所に設けるのが好ましい。
従って、暗い場所やキーロックが作動している際においても、わざわざ明るい場所に行ったりキーロックを解除したりすることなく、容易に位置確認可能な筐体表面、すなわち該筐体が折り畳まれた際に外部に露出する筐体表面の所定個所に設けられたオン指示入力手段を操作するだけで、時刻表示手段の現在時刻表示部を照明可能となるので、更に使い勝手の良い携帯端末が提供できる。
【００１０】
更に、本発明によれば、
アラームを行う時刻を設定するアラーム時刻設定手段と、
前記サスペンド状態の際に、前記計時手段により計時された現在時刻に基づいて、前記アラーム時刻設定手段により設定されたアラーム時刻に至ったか否かを監視するアラーム時刻監視手段と、
前記サスペンド状態の際に、前記アラーム時刻設定手段により設定されたアラーム時刻に至った旨を前記アラーム時刻監視手段から受信すると、アラームを行うアラーム手段を備えるのが好ましい。
従って、サスペンド状態でも、設定されたアラーム機能は維持されるので、ユーザは電源のオン・オフを気にすることなくアラーム機能を利用できる。
【００１１】
【発明の実施の形態】
以下、図１〜図４を参照して本発明を適用した携帯電話１００について詳細に説明する。
なお、以下で説明するＲＴＣ１１１は、本発明の請求項に記載した計時手段とアラーム時刻監視手段とが有する機能を実現し、サブＬＣＤ１９ｂは、時刻表示手段が有する機能を実現し、時刻アラーム設定パネル１９ｃは、アラーム時刻設定手段が有する機能を実現し、バックライト１１０は、照明手段が有する機能を実現し、バックライトキー１１０ａは、オン指示入力手段が有する機能を実現し、アプリケーションＣＰＵ１０２は、時刻表示制御手段と、照明制御手段と、アラーム手段とが有する機能を実現する。
【００１２】
まず、図１（ａ）、図１（ｂ）を参照して携帯電話１００の外部構成を説明する。携帯電話１００は、図１に示すような折り畳み式携帯電話とする。図１（ａ）は、携帯電話１００の表示操作面を示す図であり、図１（ｂ）は、図１（ａ）に示す筐体１０ａの表示操作面と反対側の表面を示す図である。
【００１３】
図１（ａ）、図１（ｂ）に示すように、携帯電話１００は、筐体１０ａと筐体１０ｂとが、蝶番部Ａを介して屈曲自在に接続されている。すなわち、携帯電話１００は、蝶番部Ａを境にして折り畳み可能であり、折り畳まれた際（未使用時）には、筐体１０ａ、１０ｂの各表示操作面が互いに対向するように筐体１０ａと筐体１０ｂとが重なる。
【００１４】
図１（ａ）に示すように、筐体１０ａの表示操作面には、キーパッド１７、バックライトキー１１０ａ、及びマイク２０等が配設され、筐体１０ｂの表示操作面には、受話スピーカ１８、メインＬＣＤ１９ａが配設されている。また、キーパッド１７は、カーソルキー１７ａ、オンフックキー１７ｂ、オフフックキー１７ｃ、テンキー１７ｄ、クリアキー１７ｅ、ＳＥＴキー１７１ａ、ロックキー１７１ｂ等を有する。また、図１（ｂ）に示すように、筐体１０ａの表示操作面と反対側の表面には、サブＬＣＤ１９ｂ、時刻アラーム設定パネル１９ｃが配設されている。
【００１５】
カーソルキー１７ａは、ＳＥＴキー１７１ａの押下によりメインＬＣＤ１９ａにリスト形式で表示された携帯電話１００が備える各種機能を指定する為のキーである。上記カーソルキー１７ａのキー操作により指定された機能に対しＳＥＴキー１７１ａが押下されると、当該機能を実行する旨の指示がアプリケーションＣＰＵ１０２に出力される。オンフックキー１７ｂは、通話中の通信を終了する旨の指示信号をアプリケーションＣＰＵ１０２に出力する為のキーである。また、このオンフックキー１７ｂは、携帯電話１００の電源スイッチとしての機能も有する。すなわち、携帯電話１００の電源がオフの場合（後に詳述するサスペンドモード）、ユーザは、このキーを長く押下することにより携帯電話１００の電源をオンとし、携帯電話１００の動作中にこのキーを長く押下することにより電源をオフにする。オフフックキー１７ｃは、発信の指示信号及び着信が検知された際に通信開始を指示する指示信号をアプリケーションＣＰＵ１０２に出力する為のキーである。ユーザは、着信が報知された際、オフフックキー１７ｃを押下して通話を開始する。
【００１６】
テンキー１７ｄは、主に電話番号等を入力する為のキーである。また、このテンキー１７ｄは、文字入力キーとしての機能も併せ持っており、ユーザは、メールの作成時にこのテンキー１７ｄを操作することによりメール送信用テキストの作成を行う。更に、着信検出中においては、テンキー１７ｄは、オフフックキー１７ｃとしての機能も備える。着信が検知された際、ユーザは、このテンキー１７ｄのうち何れかのキーを押下することにより、着信処理を指示する指示信号をアプリケーションＣＰＵ１０２に出力する。クリアキー１７ｅは、メインＬＣＤ１９ａに表示された入力文字データを消去する為のキーである。
【００１７】
ロックキー１７１ｂは、携帯電話１００が起動中に所定時間以上押下されると、ロックキー１７１ｂ及びバックライトキー１１０ａを除くキーパッド１７の全てのキー入力を受け付けないようにする指示をアプリケーションＣＰＵ１０２に出力するためのキーであり、テンキー１７ｄの“＃”キーを兼用している。以下、この状態をキーがロックされたという。キーがロックされた状態でロックキー１７１ｂが再度、所定時間以上押下されると、当該キーのロック状態を解除する旨の指示がアプリケーションＣＰＵ１０２に出力される。また、キーがロックされた状態であっても、バックライトキー１１０ａの入力をアプリケーションＣＰＵ１０２に行うことが可能である。
【００１８】
バックライトキー１１０ａは、バックライト１１０のオン／オフを切り替えるためのキーであり、バックライトキー１１０ａを押下すると、バックライト１１０をオンする指示を出力し、押下された状態のバックライトキー１１０ａを元の状態に戻すと、バックライト１１０をオフする指示を出力する。
【００１９】
受話スピーカ１８は、通話時において、呼び出し音等の通信音や、通信相手の音声等を出力する。メインＬＣＤ（Liquid Crystal Display）１９ａは、アプリケーションＣＰＵ１０２から供給される各種表示情報を表示する。例えば、待受画面に加え、携帯電話１００が備える各種機能の選択をユーザに促す為のメニュー画面や、メール編集画面、或いは、着信を報知する為の着信画面や、着信メールの表示画面等である。
【００２０】
また、サブＬＣＤ１９ｂは、携帯電話１００が折り畳まれた際に外部に露出する表面に設けられており、アプリケーションＣＰＵ１０２からの指示に応じて、現在時刻や、受信強度、圏外情報、着信通知（相手の電話番号を含む）等の情報を表示する。上記各情報は、携帯電話１００が折り畳まれた状態でも表示可能である。
【００２１】
時刻アラーム設定パネル１９ｃは、携帯電話１００が折り畳まれた際に外部に露出する表面に設けられており、現在時刻及びアラーム時刻を設定する為の各種キーを備える。時刻アラーム設定パネル１９ｃが備える各種キーのキー操作により、現在時刻及びアラーム時刻の設定が行われる。また、この際の設定情報は、サブＬＣＤ１９ｂに表示される。
携帯電話１００が折り畳まれた状態においても、時刻アラーム設定パネル１９ｃのキー操作により、現在時刻及びアラーム時刻の設定が可能となる。
【００２２】
マイク２０は、入力された音声を電気的アナログ信号に変換する。ユーザは、通信先に送信する自身の音声をこのマイク２０を介して入力する。
【００２３】
次に、携帯電話１００の内部構成を詳細に説明する。図２は、携帯電話１００の内部構成を示すブロック図である。
図２に示すように、携帯電話１００は、ベースバンドＣＰＵ１０１、アプリケーションＣＰＵ１０２、クロック１０３、ＲＯＭ１０４、ＲＡＭ１０５、入力部１０６、バッテリ制御部１０７、メインバッテリ１０８、サブバッテリ１０９、バックライト１１０、ＲＴＣ１１１、ＲＦ部１０１ａ、メインＬＣＤ１９ａ、サブＬＣＤ１９ｂ、及びアンテナ１１等を備えて構成されている。
【００２４】
ここで、アプリケーションＣＰＵ１０２、ＲＯＭ１０４、ＲＡＭ１０５、ＲＴＣ１１１、及びメインＬＣＤ１９ａ等は互いにバス接続されている。またバックライト１１０は、アプリケーションＣＰＵ１０２とＰＩＯ（パラレルＩＯ）インターフェースを介して接続され（ＰＩＯ接続）、バックライト１１０は、アプリケーションＣＰＵ１０２からの制御信号に応じてオン・オフする。また、サブＬＣＤ１９ｂは、アプリケーションＣＰＵ１０２とシリアル接続又はバス接続されている。更に、ベースバンドＣＰＵ１０１は、高速のシリアル接続によってアプリケーションＣＰＵ１０２と接続され、ベースバンドＣＰＵ１０１とアプリケーションＣＰＵ１０２との間で、呼制御、無線制御等の制御コマンド、インターネットサービス用のデータパケット（ＴＣＰ／ＩＰ／ＰＰＰ）の送受信が行われる。入力部１０６は、アプリケーションＣＰＵ１０２にＰＩＯ接続及び割込み接続され、アプリケーションＣＰＵ１０２がスリープ状態であってもキー入力の受け付けが可能となっている。
【００２５】
ＲＦ部１０１ａは、増幅器、変調器、及び復調器（何れも図示略）を具備する。ＲＦ部１０１ａは、アンテナ１１を介して受信した受信信号を上記増幅器で増幅し、その後、上記復調器で復調してベースバンドＣＰＵ１０１に出力する。また、ＲＦ部１０１ａは、ベースバンドＣＰＵ１０１から送信された送信信号を上記変調器で変調し、その後、上記増幅器で増幅して上記アンテナに送信する。
【００２６】
ベースバンドＣＰＵ１０１は、ＲＦ部１０１ａを介して受信された受信信号のフレーム処理およびデコード処理等を行う。またベースバンドＣＰＵ１０１は、ＲＦ部１０１ａを介して送信する送信信号のエンコード処理およびフレーム処理等を行うと共に、音声データ等に対するリアルタイム処理を行う。
【００２７】
アプリケーションＣＰＵ１０２は、ユーザインターフェースやアプリケーション（例えば、アドレス帳、メール、Ｗｅｂ閲覧（ＷＷＷ）、ＪＡＶＡ（登録商標）等）を制御する。
【００２８】
アプリケーションＣＰＵ１０２は、携帯電話１００の電源がオンの際、すなわち、アプリケーションＣＰＵ１０２が起動中にオンフックキー１７ｂが長く押下されると、後述するコア部（図示略）を含むアプリケーションＣＰＵ１０２は、スリープ状態となる。この際、アプリケーションＣＰＵ１０２は、コア部以外のアプリケーションＣＰＵ１０２の内部周辺回路や、ＲＴＣ１１１及びサブＬＣＤ１９ｂのドライバ制御回路（図示略）以外のアプリケーションＣＰＵ１０２の外部周辺回路（例えば、ＲＦ部１０１ａ、ベースバンドＣＰＵ１０１、メインＬＣＤ１９ａ等）を停止して、スリープ状態にはいる。
以下、上記内部周辺回路及び外部周辺回路をまとめて周辺回路という。
【００２９】
上記アプリケーションＣＰＵ１０２のコア部とは、後述する各種割込信号を受信すると、当該各種割込信号に応じた処理を行う演算部であり、スリープ状態であっても割込信号が入力されると起動する。
【００３０】
以下、スリープ状態のアプリケーションＣＰＵ１０２のコア部が受信した各種割込信号に応じて各種処理を行う処理モードを、サスペンドモード（サスペンド状態）という。
【００３１】
完全に起動中のアプリケーションＣＰＵ１０２は、時刻更新のための割込信号（以下、時刻更新割込信号という）をＲＴＣ１１１から受信すると、当該更新された時刻をサブＬＣＤ１９ｂに表示する。
【００３２】
また、完全に起動中のアプリケーションＣＰＵ１０２は、バックライトキー１１０ａの押下に応じてサブＬＣＤ１９ｂ用のバックライト１１０を点灯する旨の割込信号（以下、バックライト割込信号という）を受信すると、まず、バッテリ制御部１０７にメインバッテリ１０８及びサブバッテリ１０９の電圧値を問い合わせ、その結果、メインバッテリ１０８或いはサブバッテリ１０９の電圧値がバックライト１１０点灯に十分であれば、バックライト１１０を点灯してサブＬＣＤ１９ｂの表示画面を照明し、上記電圧値がバックライト１１０点灯に十分でなければ、バックライト１１０の点灯を行わない。
【００３３】
スリープ状態のアプリケーションＣＰＵ１０２のコア部は、図３のフローチャートに示すように、時刻更新割込信号をＲＴＣ１１１から受信すると、まず低クロック（すなわち、低消費電力の省エネルギーモード）で起動する。このクロックは、クロック１０３により発信される。次いで低クロックで起動したアプリケーションＣＰＵ１０２のコア部は、当該更新された時刻をサブＬＣＤ１９ｂに表示する。以下、この処理（図３のフローチャートに示す処理）を、時刻更新割込処理という。
なお、上記時刻更新割込処理については、後述する携帯電話１００の動作の説明において詳しく述べる。
【００３４】
また、スリープ状態のアプリケーションＣＰＵ１０２のコア部は、図４のフローチャートに示すように、バックライト割込信号を受信すると、まず低クロックで起動する。次いで低クロックで起動したアプリケーションＣＰＵ１０２のコア部は、バッテリ制御部１０７にメインバッテリ１０８及びサブバッテリ１０９の電圧値を問い合わせ、その結果、メインバッテリ１０８或いはサブバッテリ１０９の電圧値がバックライト１１０点灯に十分であれば、バックライト１１０を点灯してサブＬＣＤ１９ｂの表示画面を照明し、上記電圧値がバックライト１１０点灯に十分でなければ、バックライト１１０の点灯を行わない。以下、この処理（図４のフローチャートに示す処理）を、バックライト割込処理という。
なお、上記バックライト割込処理については、後述する携帯電話１００の動作の説明において詳しく述べる。
【００３５】
また、スリープ状態のアプリケーションＣＰＵ１０２のコア部は、オンフックキー１７ｂが長く押下された際、このキー操作により入力されたアプリケーションＣＰＵ１０２を起動する旨の割込信号（以下、起動割込信号という）に応じて、メインバッテリ１０８から周辺回路への電源供給をオンする旨の指示をバッテリ制御部１０７に送信すると共に、アプリケーションＣＰＵ１０２を完全に起動する。
【００３６】
また、メインバッテリ１０８がアプリケーションＣＰＵ１０２の完全起動時に必要な電圧を維持できない、或いはメインバッテリ１０８が装着されていない場合には、メインバッテリ１０８に替わってサブバッテリ１０９がアプリケーションＣＰＵ１０２に電源を供給し、アプリケーションＣＰＵ１０２及びそのコア部がスリープ状態となってサスペンドモードに移行した場合、アプリケーションＣＰＵ１０２のコア部は、図３のフローチャートに示す時刻更新割込処理、及び図４のフローチャートに示すバックライト割込処理を行う。
【００３７】
アプリケーションＣＰＵ１０２は、実行中のアプリケーションに係る各種表示情報をメインＬＣＤ１９ａに表示する。
【００３８】
スリープ状態のアプリケーションＣＰＵ１０２のコア部は、アラーム時刻に至った旨を示す信号をＲＴＣ１１１から受信すると低クロックで起動し、図示しない放音スピーカから所定のアラーム音を放音する、或いは、メインＬＣＤ１９ａ若しくはサブＬＣＤ１９ｂに所定のアラーム表示を行う。その後、アプリケーションＣＰＵ１０２のコア部は、再びスリープ状態にはいる。
【００３９】
クロック１０３は、ベースバンドＣＰＵ１０１及びアプリケーションＣＰＵ１０２の動作クロックを供給する。
【００４０】
ＲＯＭ１０４は、例えばフラッシュメモリ（flash memory）であって、携帯電話１００の各種動作を制御する主制御プログラム、携帯電話１００が有する各種アプリケーション用プログラム等（例えば、通話アプリケーション、メール作成アプリケーション等のアプリケーション用プログラム）を格納する。
【００４１】
ＲＡＭ１０５、アプリケーションＣＰＵ１０２により読み出された実行プログラムや、プログラムの実行に係る各種データを一時的に格納するワークエリアを形成する。ＲＡＭ１０５は、電話番号やメールアドレス、或いは送信メールのテキストデータ等を複数記憶するメモリエリアや、外部サーバからダウンロードした各種データや、受信メールのテキストデータ、或いはその添付画像データ等を複数記録する為のメモリエリアを備える（何れも図示略）。
【００４２】
入力部１０６は、キーパッド１７が有する各種キー、時刻アラーム設定パネル１９ｃが有する各種キー、及びバックライトキー１１０ａ等を備える。
【００４３】
バッテリ制御部１０７は、メインバッテリ１０８及びバッテリ制御部１０７の両電圧値を監視し、当該監視結果に基づいてアプリケーションＣＰＵ１０２に電源供給するバッテリをメインバッテリ１０８とサブバッテリ１０９との間で切り替える。
【００４４】
すなわち、メインバッテリ１０８によるアプリケーションＣＰＵ１０２への電源供給の際、バッテリ制御部１０７は、メインバッテリ１０８の電圧値がアプリケーションＣＰＵ１０２の完全起動時に必要な電圧値が維持できるか否か、或いはメインバッテリ１０８が取り外されているか否かを判定し、アプリケーションＣＰＵ１０２の起動時に必要な電圧値が維持できない、或いはメインバッテリ１０８が取り外されていると判定した場合、アプリケーションＣＰＵ１０２に電源供給するバッテリをメインバッテリ１０８からサブバッテリ１０９に切り替える。その後、バッテリ制御部１０７は、サスペンドモード時にアプリケーションＣＰＵ１０２に電源供給する。これによりアプリケーションＣＰＵ１０２はサスペンドモードに移行する。
【００４５】
また、バッテリ制御部１０７は、メインバッテリ１０８及びサブバッテリ１０９の電圧値を監視しておき、アプリケーションＣＰＵ１０２が完全起動できないほど低電圧であると判定すると、アプリケーションＣＰＵ１０２にその旨送信する。
【００４６】
メインバッテリ１０８及びサブバッテリ１０９は、アプリケーションＣＰＵ１０２及びバッテリ制御部１０７による制御の元で、ベースバンドＣＰＵ１０１やアプリケーションＣＰＵ１０２等の携帯電話１００の各構成部に電源を供給する。特に、サブバッテリ１０９は、上記制御の元で、アプリケーションＣＰＵ１０２に電源供給可能である。メインバッテリ１０８は、容量の大きい充電可能なバッテリであり、デフォルトでアプリケーションＣＰＵ１０２に電源供給する。サブバッテリ１０９は、例えば、コイン型リチウム電池（すなわち、小容量の電池）であり、デフォルトでＲＴＣ１１１等に電源供給する。また、メインバッテリ１０８及びサブバッテリ１０９は、共にバッテリ交換が可能である。
【００４７】
ＲＴＣ１１１は、時刻アラーム設定パネル１９ｃのキー操作による指示に基づいて、現在時刻及びアラーム時刻を設定する。ＲＴＣ１１１は、計時機能を有し、例えば、１秒（ｓ）毎に現在時刻を更新する。ＲＴＣ１１１は、上記現在時刻の更新時には、時刻更新割込信号と共に、更新された現在時刻データをアプリケーションＣＰＵ１０２に送信する。また、ＲＴＣ１１１は、設定されたアラーム時刻に至ると、アラーム時刻に至った旨を示す信号をアプリケーションＣＰＵ１０２に送信する。更に、ＲＴＣ１１１は、タイマー機能を有する。例えば、このタイマーは、１００ｍｓのタイマーとして機能する。
【００４８】
次に、図３、図４を参照して、携帯電話１００の動作を説明する。
【００４９】
まず、図３を参照して携帯電話１００の時刻更新割込処理を説明する。
アプリケーションＣＰＵ１０２が完全に起動中であり、サブＬＣＤ１９ｂには、“９時２９分５９秒”の現在時刻が表示されているとする。
【００５０】
そこでアプリケーションＣＰＵ１０２は、ユーザにより入力された電源オフの指示によりサスペンドモードとなった時（ステップＳ１０１）、ＲＴＣ１１１及びサブＬＣＤ１９ｂのドライバ制御部（図示略）を除くアプリケーションＣＰＵ１０２の外部周辺回路を停止すると共に（ステップＳ１０２）、コア部を除くアプリケーションＣＰＵ１０２の内部周辺回路を停止し、アプリケーションＣＰＵ１０２のコア部をスリープ状態にする（ステップＳ１０３）。従ってこの際、携帯電話１００はサスペンドモードとなる。
【００５１】
スリープ状態のアプリケーションＣＰＵ１０２のコア部は、時刻更新割込信号（９時３０分００秒への更新を指示する割込信号）をＲＴＣ１１１から受信すると（ステップＳ１０４）低クロックで起動する（ステップＳ１０５）。
【００５２】
次いで、低クロックで起動したアプリケーションＣＰＵ１０２のコア部は、“９時３０分００秒”の現在時刻をサブＬＣＤ１９ｂに表示し（ステップＳ１０６）、その後、再度スリープ状態にはいる（ステップＳ１０７）。
【００５３】
ステップＳ１０７の後、スリープ状態のアプリケーションＣＰＵ１０２のコア部は、時刻更新割込信号（９時３０分０１秒への更新を指示する割込信号）をＲＴＣ１１１から受信すると（ステップＳ１０８）低クロックで起動する（ステップＳ１０９）。
【００５４】
次いで、低クロックで起動したアプリケーションＣＰＵ１０２のコア部は、“９時３０分０１秒”の現在時刻をサブＬＣＤ１９ｂに表示し（ステップＳ１１０）、その後、再度スリープ状態にはいる（ステップＳ１１１）。
【００５５】
以降、アプリケーションＣＰＵ１０２は、サスペンドモードが解除されるまで、ステップＳ１０４〜Ｓ１０７（或いはステップＳ１０８〜Ｓ１１１）を繰り返す。
【００５６】
上記ステップＳ１０１〜Ｓ１１１の各処理によって、サスペンドモードの際においても、アプリケーションＣＰＵ１０２を完全に起動することなく、現在時刻をサブＬＣＤ１９ｂに継続して表示可能となる。
【００５７】
次に、図４を参照して、携帯電話１００のバックライト割込処理を説明する。先ず、アプリケーションＣＰＵ１０２が完全に起動中であるとする。そこで、アプリケーションＣＰＵ１０２は、ユーザにより入力された電源オフの指示によりサスペンドモードとなった時（ステップＳ２０１、Ｓ２０２）、ＲＴＣ１１１及びサブＬＣＤ１９ｂのドライバ制御部（図示略）を除くアプリケーションＣＰＵ１０２の外部周辺回路を停止すると共に（ステップＳ２０３）、コア部を除くアプリケーションＣＰＵ１０２の内部周辺回路を停止して、アプリケーションＣＰＵ１０２のコア部がスリープ状態となる（ステップＳ２０４）。従ってこの際、携帯電話１００はサスペンドモードとなる。
【００５８】
スリープ状態のアプリケーションＣＰＵ１０２のコア部は、バックライトキー１１０ａが押下されて（ステップＳ２０５）、バックライト割込信号をバックライトキー１１０ａから受信すると（ステップＳ２０６）低クロックで起動する（ステップＳ２０７）。
【００５９】
次いで、低クロックで起動したアプリケーションＣＰＵ１０２のコア部は、バックライト１１０を点灯すると共に（ステップＳ２０８）、ＲＴＣ１１１のタイマ（１００ｍｓタイマ）を開始する（ステップＳ２０９）。
【００６０】
低クロックで起動中のアプリケーションＣＰＵ１０２のコア部は、タイマがタイムアウトした旨の信号をＲＴＣ１１１から受信すると（ステップＳ２１０）、バックライト１１０を消灯するためにバックライトキー１１０ａが押下されているか否かを判定する（ステップＳ２１１）。
【００６１】
低クロックで起動中のアプリケーションＣＰＵ１０２のコア部は、バックライトキー１１０ａが押下されていると判定した場合、再度ＲＴＣ１１１のタイマ（１００ｍｓ）を開始する（ステップＳ２１２）。
【００６２】
アプリケーションＣＰＵ１０２のコア部は、ステップＳ２１２で開始されたタイマの動作中にバックライトキー１１０ａが離され（ステップＳ２１３）、当該バックライトキー１１０ａが離された後にタイマがタイムアウトした旨の信号をＲＴＣ１１１から受信すると（ステップＳ２１４）、バックライトキー１１０ａが離されたと判定し（ステップＳ２１５）、バックライト１１０を消灯する（ステップＳ２１６）。
【００６３】
アプリケーションＣＰＵ１０２のコア部は、ステップＳ２１６の後、再度スリープ状態にはいる（ステップＳ２１７）。
【００６４】
上記ステップＳ２０１〜Ｓ２１７の各処理によって、サスペンドモードの際においても、アプリケーションＣＰＵ１０２を完全に起動することなく、バックライトキー１１０ａを押下することによって現在時刻が表示されたサブＬＣＤ１９ｂをバックライト１１０で照明することが可能となる。
【００６５】
以上説明したように、本発明を適用した携帯電話１００は、サスペンドモード時においても、アプリケーションＣＰＵ１０２を完全に起動することなく、ユーザの操作を特に要せずに現在時刻を容易に確認できるサブＬＣＤ１９ｂを備える。この際、サスペンドモードでスリープ状態のアプリケーションＣＰＵ１０２のコア部は、ＲＴＣ１１１から時刻更新割込信号を受信すると低クロックで起動して、更新後の現在時刻をサブＬＣＤ１９ｂに表示する。
また携帯電話１００は、サスペンドモード時においても、アプリケーションＣＰＵ１０２を完全に起動することなく、バックライトキー１１０ａのキー操作により、バックライト１１０を点灯しサブＬＣＤ１９ｂを照明可能となる。この際、サスペンドモードでスリープ状態のアプリケーションＣＰＵ１０２のコア部は、ＲＴＣ１１１からバックライト割込信号を受信すると低クロックで起動してバックライト１１０を点灯する。
【００６６】
従って、サスペンドモードの際においても、アプリケーションＣＰＵ１０２を完全に起動することなく現在時刻をサブＬＣＤ１９ｂに継続して表示可能となるので、ユーザは、複雑なキー操作を特に行うことなく、容易に現在時刻を確認可能となり、利便性の向上が図られる。
また、サスペンドモードの際においても、アプリケーションＣＰＵ１０２を完全に起動することなく、バックライトキー１１０ａを押下することによってサブＬＣＤ１９ｂをバックライト１１０で照明することが可能となるので、ユーザは、バックライトキー１１０ａを押下すること以外に特に操作することなく、サスペンドモードの際においても容易にサブＬＣＤ１９ｂを照明することができ、更に利便性の向上が図られる。
また、サスペンドモードの際においても、時刻アラーム設定パネル１９ｃのキー操作により設定されたアラーム機能は維持されるので、ユーザは電源のオン・オフを気にすることなくアラーム機能を利用できる。
また、メインバッテリ１０８のバッテリ切れの際には、残量少ないメインバッテリ１０８或いは小容量のサブバッテリ１０９から電源供給が行われるサスペンドモードに移行する為、現在時刻やアラーム設定、及び現在時刻の表示が継続して行え、更に利便性の向上が図られる。
更に、メインバッテリ１０８が装着されていない場合でも、サブバッテリ１０９から供給される電圧でサスペンドモードに移行する為、現在時刻やアラームの設定、及び現在時刻の表示が行えて、更に利便性の向上が図られる。
また、アプリケーションＣＰＵ１０２を完全に起動することなく、サスペンドモードで時刻設定やアラームの設定が行えるので、使い勝手の良い携帯電話１００が提供できる。
また、暗い場所やキーロックが作動している際においても、わざわざ明るい場所に行ったりキーロックを解除したりすることなく、バックライトキー１１０ａを操作するだけでバックライト１１０が点灯してサブＬＣＤ１９ｂが照明可能となるので、更に使い勝手の良い携帯電話１００が提供できる。
また、サスペンドモードにおいて、サブＬＣＤ１９ｂに現在時刻を表示する際、バックライト１１０によってサブＬＣＤ１９ｂを照明する際、及び、アラーム時刻に至ってアラームする際には、アプリケーションＣＰＵ１０２は、低クロックで動作するので、消費電力の低減化が図られる。
【００６７】
なお、本実施の形態における記述は、本発明に係る通信端末の一例を示すものであり、これに限定されるものではない。本実施の形態の携帯電話１００の細部構成、及び詳細動作に関しては、本発明の趣旨を逸脱しない範囲で適宜変更可能である。
【００６８】
例えば、携帯電話１００は、メインバッテリ１０８及びサブバッテリ１０９の両バッテリからアプリケーションＣＰＵ１０２に電源供給可能としたが、これに限らず、アプリケーションＣＰＵ１０２が完全起動可能なほど容量が大きくないサブバッテリ１０９を備えるようにしても良く、この場合、アプリケーションＣＰＵ１０２の完全起動時には、メインバッテリ１０８だけから電源供給される。この場合の携帯電話２００の内部構成を図５に示す。
【００６９】
図５に示すように、携帯電話２００は、携帯電話１００が具備したバッテリ制御部１０７を設けず、従って、アプリケーションＣＰＵ１０２は、メインバッテリ１０８のみから電源が供給される。また、サブバッテリ１０９は、ＲＴＣ１１１に電源供給し、アプリケーションＣＰＵ１０２には電源供給を行わない。
【００７０】
また、アプリケーションＣＰＵ１０２は、メインバッテリ１０８の電圧を監視し、メインバッテリ１０８の電圧がアプリケーションＣＰＵ１０２の完全起動に必要な電圧値を維持できないと判定した場合、バッテリ切れとしてアプリケーションＣＰＵ１０２をサスペンドモードに移行する。ここで、供給電圧が多少低くてもサスペンドモードならアプリケーションＣＰＵ１０２のコア部は駆動可能である。
【００７１】
また、本発明を適用した携帯電話として、図１（ａ）、図１（ｂ）に示すような折り畳み式の携帯電話１００としたが、これに限らず、図６に示すようなストレート型の筐体３０ａを有する携帯電話３００であっても良い。
【００７２】
この場合、携帯電話１００のサブＬＣＤ１９ｂの表示画面及び時刻アラーム設定パネル１９ｃをメインＬＣＤ１９ａに隣接して（或いは携帯電話３００の表示操作面と反対側の表面に）設ける。
【００７３】
また、本発明を適用した携帯電話１００は、ベースバンドＣＰＵ１０１とアプリケーションＣＰＵ１０２とを別体として備えるとしたが、これに限らず、両ＣＰＵが一体構成されたＣＰＵを備えるようにしても良い。
【００７４】
【発明の効果】
本発明によれば、現在時刻を表示可能な通信端末において、電源オフの際やバッテリ切れの際にも現在時刻を容易に確認可能な通信端末を提供できる。
【図面の簡単な説明】
【図１】（ａ）は、本発明を適用した携帯電話の表示操作面を示す図であり、（ｂ）は、（ａ）に示す筐体１０ａの表示操作面と反対側の表面を示す図である。
【図２】本発明を適用した携帯電話の内部構成を示すブロック図である。
【図３】本発明を適用した携帯電話の時刻更新割込処理を説明するタイミングチャートである。
【図４】本発明を適用した携帯電話のバックライト割込処理を説明するタイミングチャートである。
【図５】本発明を適用した携帯電話の他の例における内部構成を示すブロック図である。
【図６】本発明を適用した携帯電話の他の例として、ストレート型の筐体を有する携帯電話の表示操作面を示す図である。
【符号の説明】
１００、２００、３００  携帯電話
１０１  ベースバンドＣＰＵ
１０１ａ  ＲＦ部
１１  アンテナ
１０２  アプリケーションＣＰＵ
１０３  クロック
１０４  ＲＯＭ
１０５  ＲＡＭ
１０６  入力部
１１０ａ  バックライトキー
１７  キーパッド
１７１ａ  ＳＥＴキー
１７１ｂ  ロックキー
１７ａ  カーソルキー
１７ｂ  オンフックキー
１７ｃ  オフフックキー
１７ｄ  テンキー
１７ｅ  クリアキー
１０７  バッテリ制御部
１０８  メインバッテリ
１０９  サブバッテリ
１０ａ、１０ｂ  筐体
１１０  バックライト
１１１  ＲＴＣ
１８  受話スピーカ
１９ａ  メインＬＣＤ
１９ｂ  サブＬＣＤ
１９ｃ  時刻アラーム設定パネル
２０  マイク
【図１】
0003842673.tif 000002
【図２】
0003842673.tif 000003
【図３】
0003842673.tif 000004
【図４】
0003842673.tif 000005
【図５】
0003842673.tif 000006
【図６】
0003842673.tif 000007